(57)【要約】【課題】複数の食べ物を一つの採り皿に取り分ける際に、採り皿の上で食べ物同士が混ざり合うことがなく、使用後の処理が簡単でリサイクルが可能な紙製間仕切りを提供すること。【解決手段】複数の食べ物を一つの採り皿に取り分けるための紙製間仕切りであって、中心に丸穴１１を設け、該丸穴１１から外側に一つの切込み１２を入れた台紙１と、矩形でその中心部において貼り合わされており一辺は上記台紙の半径にほぼ一致するように設定された間仕切り２とで構成し、折り畳まれると短冊状になり、広げると円形状になるようにした。【選択図】図１
2005246012.tif 000002
【特許請求の範囲】
【請求項１】
バイキングスタイルの食事やサラダバー等において何種類かの食べ物を一つの採り皿等に採り分ける際の間仕切りであって、その中心部には台紙を折り畳み易くするための丸穴が設けられ、丸穴から台紙の外側に向けて台紙の略半径分の切込みが入れられた薄い紙製の台紙と、矩形でその中心部において貼り合わされおり、折り畳まれると矩形の短冊状になり、広げると略円形状であって等分に分割されて配され、一辺は台紙の略半径と一致するように設定された厚めの紙製間仕切りとからなり、間仕切りの両端面下部は台紙の切り込み部両端に合うように配し、台紙と間仕切りを一体に貼り合わせることにより、前述したように、折り畳むと台紙は間仕切りの等分割された仕切りの間に折り込まれ矩形の短冊状となり、広げると略円形状であって等分に分割された仕切り部によって何種かの食べ物を採っても混じりあわず、採り皿の上で安定した状態で置くことが可能なことを特徴とする紙製間仕切り。
【発明の詳細な説明】
【発明の詳細な説明】
【技術分野】
【０００１】  本発明は、バイキングスタイルの食事やサラダバー等において何種類かの食べ物を一つの採り皿等に取り分ける際に、食べ物を採っても混じりあわないようにした紙製間仕切り関する。
【従来技術とその問題点】
【０００２】  従来、バイキングスタイルの食事やサラダバー等において食べ物を取り分ける際に使用される間仕切りは特に決まったものはなく樹脂製の矩形板等が代用されていたが、これらは採り皿の上に乗せると倒れてしまい、食べ物を乗せるときに一々手で支えなければならず、食べ物を採るのに不便であった。
【０００３】    さらに、一枚の紙状の薄い間仕切り様のものもあるが、食べ物を採る度に食べ物と食べ物の間に置いていかなければならず、また、食べ物を採るために動き回ると、採り皿上の食べ物が採り皿の上で滑ってしまい、薄い間仕切り自身が食べ物の間に混じってしまうことが多々あり、使用に際して却って手を汚すなどの不便さがあった。
【発明が解決しようとする課題】
【０００４】  本発明は、何種類かの食べ物を一つの採り皿等に取り分ける際に、食べ物を採っても採り皿の上に乗せて動いても転倒せず、採り皿の上で滑ることもなく、採った食べ物が混じり合わず、使用後において廃棄処分が簡単でリサイクル可能な紙製間仕切りを提供することである。
【課題を解決するための手段】
【０００５】  本発明は、上記問題点を解消するために、バイキングスタイルの食事やサラダバー等において何種類かの食べ物を一つの採り皿等に採り分ける際の間仕切りであって、その中心部には台紙を折り畳み易くするための丸穴が設けられ、丸穴から台紙の外側に向けて台紙の略半径分の切込みが入れられた薄い紙製の台紙と、矩形でその中心部において貼り合わされおり、広げると略円形状であって等分に分割されて配され、一辺は台紙の略半径と一致するように設定された厚めの紙製間仕切りとからなり、間仕切りの両端面下部は台紙の切り込み部両端に合うように配し、台紙と間仕切りを一体に貼り合わすことにより、折り畳むと台紙は間仕切りの等分割された仕切りの間に折り込まれ矩形の短冊状となり、保管し易く、食べ物と同じ場所に設置するのにも場所を取らず整理、整頓し易い形状となる。
【０００６】  さらに、広げると略円形状であり等分に分割された仕切り部によって何種類かの食べ物を同時に採っても混じり合うことなく、採り皿の上に安定した状態で置くことを可能にしている。
【発明を実施するための最良の形態】
【０００７】  以下、図面によって本発明に係る紙製間仕切りの実施形態を説明する。【０００８】  図１は本発明の実施形態の紙製間仕切りの広げた状態を示す斜視図であり、１は薄い紙で製作された台紙であり、２は厚めの紙で製作された間仕切りである。【０００９】  上記、台紙１と間仕切り２は一体に貼り合わされる。【００１０】  図２は本発明の紙製間仕切りを、台紙１と間仕切り２の貼り合せ前の状態を示す斜視図であり、１１は台紙１の中心部に設けられた台紙１を折り畳み易くするための丸穴であり、１２は丸穴１１から台紙１の外側に向けて入れられた切り込みであり、１３は台紙１に入れられる折り畳み時の折り畳み見込み線である。【００１１】  間仕切り２は広げると略円形状であって仕切り２２によって等分に分割されており、一辺は台紙の略半径と一致するように設定され、他辺は食事の妨げとならない程度で、採り分けた食べ物が混ざり合わない程度の任意の高さからなり、間仕切り２の両端面２１ａ・２１ｂの下部は台紙１の切り込み部１２両端に合うように配されている。【００１２】  図３は本発明の紙製間仕切りを折り畳む途中を示す斜視図であり、間仕切り２の両端面２１ａ・２１ｂを回動させることにより、台紙１は折り畳み見込み線１３で折られ、丸穴１２によって台紙１が皴にならずに間仕切り２の仕切り２２と仕切り２２の間に折り込まれる。【００１３】  さらに、図４においては本発明の紙製間仕切りを完全に折り畳む一歩手前の状態を示す斜視図であって、間仕切り２の両端面２１ａ・２１ｂが表紙となって矩形の短冊状に折り畳まれ、保管し易く、食べ物と同じ場所に設置するのにも場所を取らず整理、整頓し易い形状となる。【００１５】  図５は本発明の紙製間仕切りが採り皿３の上に置かれる状態を示す斜視図であり、広げると略円形状であり、等分に分割された仕切り部２２によって何種類かの食べ物を同時に採っても混じり合うことなく、採り皿３の上に安定した状態で置くことができる。
【発明の効果】
【００１６】    以上説明した構成である本発明によれば、本発明はバイキングスタイルの食事やサラダバー等において何種類かの食べ物を一つの採り皿等に採り分ける際の間仕切りであって、広げると略円形状で、仕切り２２が等分に分割されて配され、一辺は台紙１の略半径と一致するように設定された間仕切り２とからなり、間仕切り２の両端面２１ａ・２１ｂ下部は台紙１の切り込み部１２の両端に合うように配し、台紙１と間仕切り２を一体に貼り合わせることで、折り畳むと台紙１は間仕切り２の等分割された仕切り２２と仕切り２２の間に折り込まれ矩形の短冊状になり、保管し易く、バイキングスタイルの食事等と同じ場所に配置するのにも場所をとらず整理、整頓し易い形状となる。
【００１７】    さらに、広げると略円形状であるため、何種類かの食べ物を一つの皿等に取り分ける際に、食べ物を採っても採り皿３の上に乗せた状態で動いても転倒せず、採り皿３の上で滑ることもなく、等分に分割された間仕切り部２によって食べ物が混じり合うことなく、採り皿３の上に安定した状態で置くことを可能である。
【００１８】  また、本発明は、構成材料が台紙１においては薄紙で、間仕切り２は厚めの紙であれば良いから再生紙等の利用が可能となるため、低コストで製作可能であり、使用後においても廃棄処分が簡単であり、リサイクルも可能である等の効果がある。
【図面の簡単な説明】
【図１】  本発明の実施形態の紙製間仕切りの広げた状態を示す斜視図
【図２】  本発明の紙製間仕切りを、台紙１と間仕切り２の張り合わせ前の状態を示す斜視図
【図３】  本発明の紙製間仕切りを折り畳む途中を示す斜視図
【図４】  本発明の紙製間仕切りを完全に折り畳む一歩手前の状態を示す斜視図
【図５】  本発明の紙製間仕切りが採り皿３の上に置かれる状態を示す斜視図
【符号の説明】
１．        台紙
１１．      丸穴
１２        切り込み
１３        折り曲げ見込み線
１．        間仕切り
２１        間仕切り端面
２２        仕切り
２．        採り皿
【図１】
2005246012.tif 000003
【図２】
2005246012.tif 000004
【図３】
2005246012.tif 000005
【図４】
2005246012.tif 000006
【図５】
2005246012.tif 000007